(57)【要約】無線通信ネットワークにおいて使用するための通信デバイスであって、上記無線通信ネットワークは、１つのシステム帯域幅内に無線アクセスインターフェースを提供するインフラストラクチャ機器を備え、上記システム帯域幅は、複数の帯域幅部分を備え、上記通信デバイスは、複数の活性化された帯域幅部分を使用して信号を送信するように構成された送信機と、上記複数の活性化された帯域幅部分を使用して、複数の活性化されたビームを使用して送信された信号を受信するように構成された受信機と、上記通信デバイスが、第１の帯域幅部分に関連する１つの活性化されたビームがビーム障害基準を満たすことを判定するように、上記複数の活性化された帯域幅部分から第２の帯域幅部分を選択するように、かつ、上記第１の帯域幅部分に関連する１つの活性化されたビームがビーム障害基準を満たすことを示すビーム障害表示を、選択された上記第２の帯域幅部分に関連する通信リソースを使用して送信するように動作可能であるように、上記送信機および上記受信機を制御するように構成されたコントローラと、を具備する。【選択図】図５
2022501979.tif 000002
【特許請求の範囲】
【請求項１】
無線通信ネットワークにおいて使用するための通信デバイスであって、
前記無線通信ネットワークは、１つのシステム帯域幅内に無線アクセスインターフェースを提供するインフラストラクチャ機器を備え、
前記システム帯域幅は、複数の帯域幅部分を備え、
前記通信デバイスは、
複数の活性化された帯域幅部分を使用して信号を送信するように構成された送信機と、
前記複数の活性化された帯域幅部分を使用して、複数の活性化されたビームを使用して送信された信号を受信するように構成された受信機と、
前記通信デバイスが、
第１の帯域幅部分に関連する１つの活性化されたビームがビーム障害基準を満たすことを判定するように、
前記複数の活性化された帯域幅部分から第２の帯域幅部分を選択するように、かつ、
前記第１の帯域幅部分に関連する１つの活性化されたビームが前記ビーム障害基準を満たすことを示すビーム障害表示を、選択された前記第２の帯域幅部分に関連する通信リソースを使用して送信するように
動作可能であるように、前記送信機および前記受信機を制御するように構成されたコントローラと
を具備する
通信デバイス。
【請求項２】
請求項１に記載の通信デバイスであって、
前記ビーム障害基準は、受信信号の測定される特性に適用可能な閾値を含み、
前記通信デバイスは、前記第１の帯域幅部分に関連する通信リソース上で受信された信号の特性を測定するように動作可能である
通信デバイス。
【請求項３】
請求項１に記載の通信デバイスであって、
前記複数の活性化された帯域幅部分の１つが、少なくとも１つの他の帯域幅部分が活性化されている間に活性化される主要帯域幅部分として指定され、
前記第１の帯域幅部分は、前記主要帯域幅部分として指定された帯域幅部分である
通信デバイス。
【請求項４】
請求項１に記載の通信デバイスであって、
前記複数の活性化された帯域幅部分のそれぞれは、最高の活性化優先度を有するデフォルト帯域幅部分、または、デフォルト帯域幅部分の活性化優先度よりも低い活性化優先度を有する非デフォルト帯域幅部分のいずれかであり、
前記第１の帯域幅部分は、前記デフォルト帯域幅部分である
通信デバイス。
【請求項５】
請求項１に記載の通信デバイスであって、
前記第１の帯域幅部分は、所定の優先順位付けスキームに従って、前記複数の活性化された帯域幅部分から選択される
通信デバイス。
【請求項６】
請求項１に記載の通信デバイスであって、
前記コントローラは、
前記通信デバイスが
選択された前記第２の帯域幅部分に関連する通信リソースを使用して前記ビーム障害表示が送信されることを示す指示を受信するように
動作可能であるように前記受信機を制御するように構成される
通信デバイス。
【請求項７】
請求項１に記載の通信デバイスであって、
前記第１の帯域幅部分が、前記複数の活性化されたビームのサブセットに関連付けられ、
前記コントローラは、前記第１の帯域幅部分に関連付けられた前記活性化されたビームのサブセットのそれぞれが前記ビーム障害基準を満たすことを判定するように構成され、
前記ビーム障害表示は、前記第１の帯域幅部分に関連付けられたすべての活性化されたビームがビーム障害基準を満たしていることを示す
通信デバイス。
【請求項８】
請求項７に記載の通信デバイスであって、
選択された前記第２の帯域幅部分は、所定の優先順位付けスキームに従って、前記複数の活性化された帯域幅部分から選択される
通信デバイス。
【請求項９】
請求項１に記載の通信デバイスであって、
前記ビーム障害表示は、前記第１の帯域幅部分のIDの表示を含む
通信デバイス。
【請求項１０】
請求項１に記載の通信デバイスであって、
前記複数の活性化された帯域幅部分の各々が、前記複数の活性化されたビームのサブセットに関連付けられ、
前記コントローラは、前記複数の活性化された帯域幅部分の各々に関連付けられた前記活性化されたビームのサブセットの各々におけるすべてのビームが、前記ビーム障害基準を満たすことを判定するように構成され、
前記ビーム障害表示は、前記複数の活性化された帯域幅部分に関連付けられたすべての活性化されたビームが、ビーム障害基準を満たしていることを示す
通信デバイス。
【請求項１１】
請求項１に記載の通信デバイスであって、
前記複数の活性化された帯域幅部分の各々に関連するビーム障害基準は、同一である
通信デバイス。
【請求項１２】
請求項１に記載の通信デバイスであって、
前記第１の帯域幅部分に関連付けられたビーム障害基準は、選択された前記第２の帯域幅部分に関連付けられたビーム障害基準と異なる
通信デバイス。
【請求項１３】
請求項１に記載の通信デバイスであって、
前記第１の帯域幅部分および前記第２の帯域幅部分は、同一の帯域幅部分である
通信デバイス。
【請求項１４】
請求項１に記載の通信デバイスであって、
前記第１の帯域幅部分および前記第２の帯域幅部分は、異なる帯域幅部分である
通信デバイス。
【請求項１５】
無線通信ネットワークにおいて使用するためのインフラストラクチャ機器であって、
前記インフラストラクチャ機器は、１つのシステム帯域幅内に無線アクセスインターフェースを提供し、
前記システム帯域幅は、複数の帯域幅部分を備え、
前記インフラストラクチャ機器は、
複数の活性化された帯域幅部分を使用して、かつ、複数の活性化されたビームを使用して、通信デバイスに信号を送信するように構成された送信機と、
前記複数の活性化された帯域幅部分を使用して、前記通信デバイスからの信号を受信するように構成された受信機と、
前記インフラストラクチャ機器が、
第１の活性化された帯域幅部分に関連する１つの活性化されたビームがビーム障害基準を満たすことを示すビーム障害表示を受信し、前記ビーム障害表示が第２の活性化された帯域幅部分に関連する通信リソースを使用して送信されるように、
動作可能であるように、前記送信機および前記受信機を制御するように構成されたコントローラと
を具備する
インフラストラクチャ機器。
【請求項１６】
請求項１５に記載のインフラストラクチャ機器であって、
前記ビーム障害基準は、受信信号の測定される特性に適用可能な閾値を含む
インフラストラクチャ機器。
【請求項１７】
請求項１５に記載のインフラストラクチャ機器であって、
前記複数の活性化された帯域幅部分の１つが、少なくとも１つの他の帯域幅部分が活性化されている間に活性化される主要帯域幅部分として指定され、
前記第１の帯域幅部分は、前記主要帯域幅部分として指定された帯域幅部分である
インフラストラクチャ機器。
【請求項１８】
請求項１５に記載のインフラストラクチャ機器であって、
前記複数の活性化された帯域幅部分のそれぞれは、最高の活性化優先度を有するデフォルト帯域幅部分、または、デフォルト帯域幅部分の活性化優先度よりも低い活性化優先度を有する非デフォルト帯域幅部分のいずれかであり、
前記第１の帯域幅部分は、前記デフォルト帯域幅部分である
インフラストラクチャ機器。
【請求項１９】
請求項１５に記載のインフラストラクチャ機器であって、
前記第１の帯域幅部分は、所定の優先順位付けスキームに従って、前記複数の活性化された帯域幅部分から選択される
インフラストラクチャ機器。
【請求項２０】
請求項１５に記載のインフラストラクチャ機器であって、
前記コントローラは、
前記インフラストラクチャ機器が
選択された前記第２の帯域幅部分に関連する通信リソースを使用して前記ビーム障害表示が送信されることを示す指示を送信するように
動作可能であるように前記送信機を制御するように構成される
インフラストラクチャ機器。
【請求項２１】
請求項１５に記載のインフラストラクチャ機器であって、
前記第１の帯域幅部分が、前記複数の活性化されたビームのサブセットに関連付けられ、
前記ビーム障害表示は、前記第１の帯域幅部分に関連付けられたすべての活性化されたビームがビーム障害基準を満たしていることを示す
インフラストラクチャ機器。
【請求項２２】
請求項２１に記載のインフラストラクチャ機器であって、
選択された前記第２の帯域幅部分は、所定の優先順位付けスキームに従って、前記複数の活性化された帯域幅部分から選択される
インフラストラクチャ機器。
【請求項２３】
請求項１５に記載のインフラストラクチャ機器であって、
前記ビーム障害表示は、前記第１の帯域幅部分のIDの表示を含む
インフラストラクチャ機器。
【請求項２４】
請求項１５に記載のインフラストラクチャ機器であって、
前記複数の活性化された帯域幅部分の各々が、前記複数の活性化されたビームのサブセットに関連付けられ、
前記ビーム障害表示は、前記複数の活性化された帯域幅部分に関連付けられたすべての活性化されたビームが、ビーム障害基準を満たしていることを示す
インフラストラクチャ機器。
【請求項２５】
請求項１５に記載のインフラストラクチャ機器であって、
前記複数の活性化された帯域幅部分の各々に関連するビーム障害基準は、同一である
インフラストラクチャ機器。
【請求項２６】
請求項１５に記載のインフラストラクチャ機器であって、
前記第１の帯域幅部分に関連付けられたビーム障害基準は、選択された前記第２の帯域幅部分に関連付けられたビーム障害基準と異なる
インフラストラクチャ機器。
【請求項２７】
請求項１５に記載のインフラストラクチャ機器であって、
前記第１の帯域幅部分および前記第２の帯域幅部分は、同一の帯域幅部分である
インフラストラクチャ機器。
【請求項２８】
請求項１５に記載のインフラストラクチャ機器であって、
前記第１の帯域幅部分および前記第２の帯域幅部分は、異なる帯域幅部分である
インフラストラクチャ機器。
【請求項２９】
無線通信ネットワークにおいて使用するためのインフラストラクチャ機器用の回路であって、
前記インフラストラクチャ機器は、１つのシステム帯域幅内に無線アクセスインターフェースを提供し、
前記システム帯域幅は、複数の帯域幅部分を備え、
前記回路は、
複数の活性化された帯域幅部分を使用して、かつ、複数の活性化されたビームを使用して、通信デバイスに信号を送信するように構成された送信機回路と、
前記複数の活性化された帯域幅部分を使用して、前記通信デバイスからの信号を受信するように構成された受信機回路と、
前記インフラストラクチャ機器が、
第１の活性化された帯域幅部分に関連する１つの活性化されたビームがビーム障害基準を満たすことを示すビーム障害表示を受信し、前記ビーム障害表示が第２の活性化された帯域幅部分に関連する通信リソースを使用して送信されるように、
動作可能であるように、前記送信機回路および前記受信機回路を制御するように構成されたコントローラ回路と
を具備する
インフラストラクチャ機器。
【請求項３０】
無線通信ネットワークにおいて使用するためのインフラストラクチャ機器用の方法であって、
前記インフラストラクチャ機器は、１つのシステム帯域幅内に無線アクセスインターフェースを提供し、
前記システム帯域幅は、複数の帯域幅部分を備え、
前記方法は、
複数の活性化された帯域幅部分を使用して、かつ、複数の活性化されたビームを使用して、通信デバイスに信号を送信するステップと、
前記複数の活性化された帯域幅部分を使用して、前記通信デバイスからの信号を受信するステップと、
第１の活性化された帯域幅部分に関連する１つの活性化されたビームがビーム障害基準を満たすことを示すビーム障害表示を受信するステップと、
を含み、
前記ビーム障害表示は、第２の活性化された帯域幅部分に関連する通信リソースを使用して送信される
方法。
【請求項３１】
無線通信ネットワークにおいて使用するための通信デバイス用の回路であって、
前記無線通信ネットワークは、１つのシステム帯域幅内に無線アクセスインターフェースを提供するインフラストラクチャ機器を備え、
前記システム帯域幅は、複数の帯域幅部分を備え、
前記回路は、
複数の活性化された帯域幅部分を使用して信号を送信するように構成された送信機回路と、
前記複数の活性化された帯域幅部分を使用して、複数の活性化されたビームを使用して送信された信号を受信するように構成された受信機回路と、
前記通信デバイスが、
第１の帯域幅部分に関連する１つの活性化されたビームがビーム障害基準を満たすことを判定するように、
前記複数の活性化された帯域幅部分から第２の帯域幅部分を選択するように、かつ、
前記第１の帯域幅部分に関連する１つの活性化されたビームが前記ビーム障害基準を満たすことを示すビーム障害表示を、選択された前記第２の帯域幅部分に関連する通信リソースを使用して送信するように
動作可能であるように、前記送信機および前記受信機を制御するように構成されたコントローラ回路と
を具備する
回路。
【請求項３２】
無線通信ネットワークにおいて使用するための通信デバイス用の方法であって、
前記無線通信ネットワークは、１つのシステム帯域幅内に無線アクセスインターフェースを提供するインフラストラクチャ機器を備え、
前記システム帯域幅は、複数の帯域幅部分を備え、
前記方法は、
複数の活性化された帯域幅部分を使用して信号を送信するステップと、
前記複数の活性化された帯域幅部分を使用して、複数の活性化されたビームを使用して送信された信号を受信するステップと、
第１の帯域幅部分に関連する１つの活性化されたビームがビーム障害基準を満たすことを判定するステップと、
前記複数の活性化された帯域幅部分から第２の帯域幅部分を選択するステップと、
前記第１の帯域幅部分に関連する１つの活性化されたビームが前記ビーム障害基準を満たすことを示すビーム障害表示を、選択された前記第２の帯域幅部分に関連する通信リソースを使用して送信するステップと
を含む
方法。
【請求項３３】
コンピュータによって実行されると、請求項３０または３２の方法を実行する、コンピュータ実行可能コードを提供するコンピュータプログラム。
【発明の詳細な説明】
【技術分野】
【０００１】
本開示は、通信デバイス、インフラストラクチャ機器、および、無線通信ネットワークのセル内の、インフラストラクチャ機器との通信デバイスによる通信のための方法に関する。
本出願は、欧州特許出願第18195309.2号のパリ条約優先権を主張し、その内容は参照により本明細書に組み込まれる。
【背景技術】
【０００２】
本明細書で提供される「背景技術」の説明は、本開示の背景を一般的に提示するためのものである。現在指名されている発明者の研究は、この背景技術の項に記載されている限りにおいて、出願時に先行技術として見なされない明細書の態様と同様に、本発明に対する先行技術として明示的にも暗示的にも認められない。
【０００３】
3GPP定義のUMTSおよびLTE(Long Term Evolution)アーキテクチャに基づくものなどの第３世代および第4世代の移動体通信システムは、以前の世代の移動体通信システムによって提供された単純な音声およびメッセージングサービスよりも高度なサービスをサポートすることができる。
例えば、LTEシステムによって提供される改善された無線インターフェースおよび拡張されたデータレートを用いて、ユーザは、以前は固定回線データ接続を介してのみ利用可能であったモバイルビデオストリーミングおよびモバイルビデオ会議などの高データレートアプリケーションを享受することができる。
したがって、このようなネットワークを配備する要求は強く、これらのネットワークのカバレージエリア、すなわち、ネットワークへのアクセスが可能な地理的場所は、ますます急速に拡大することが予想される。
【０００４】
将来の無線通信ネットワークは、現在のシステムがサポートするように最適化されるよりも、より広範囲のデータトラフィックプロファイルおよびタイプに関連する、より広範囲のデバイスとの通信を日常的かつ効率的にサポートすることが期待される。
例えば、将来の無線通信ネットワークは、複雑さが低減されたデバイス、マシンタイプ通信(MTC)デバイス、高解像度ビデオディスプレイ、仮想現実ヘッドセットなどを含むデバイスとの通信を効率的にサポートすることが期待される。
これらの異なるタイプのデバイスのうちのいくつかは、非常に多数の、例えば、「物のインターネット」をサポートするための低複雑度のデバイスに、配備されてもよく、典型的には比較的高いレイテンシ耐性を有する比較的少量のデータの伝送に関連付けられてもよい。
【０００５】
この観点から、例えば、5Gまたは新しい無線(NR)システム/新しい無線アクセス技術(RAT)システム（非特許文献１）、および既存のシステムの将来のバージョン/リリースと呼ばれてもよいものなど、将来の無線通信ネットワークが、異なるアプリケーションおよび異なる特性データトラフィックプロファイルに関連付けられた広範囲のデバイスのための接続性を効率的にサポートすることが望まれることが予想される。
【０００６】
このような新たなサービスの別の例は、超高信頼低遅延通信（URLLC）サービスと呼ばれ、URLLCサービスは、その名前が示唆するように、データユニットまたはパケットが高い信頼性で、かつ低い通信遅延で通信されることを必要とする。
したがって、URLLCタイプのサービスは、LTEタイプの通信システムおよび5G/NR通信システムの両方にとって、難しい例である。異なる交通・プロファイルに関連する異なる種類の通信デバイスの使用が増加することにより、対処する必要がある無線電気通信システムにおける通信を効率的に処理するための新しい課題が生じている。
【先行技術文献】
【非特許文献】
【０００７】
【非特許文献１】3 GPP TS 38.300 v. 15.2.0"NR; NR and NG-RAN Overall Description; Stage 2(リリース 15)", 6月 2018.
【非特許文献２】Holma H. and Toskala A,"LTE for UMTS OFDMA and SC-FDMA based radio access", John Wiley and Sons, 2009.
【非特許文献３】TR 38.913,"Study on Scenarios and Requirements for Next Generation Access Technologies (リリース 14)".
【発明の概要】
【０００８】
本開示は、上述の問題のうちの少なくとも一部に対処するか、または軽減するのに役立つことができる。
【０００９】
本技術の実施形態は、無線通信ネットワークにおいて使用するための通信デバイスであって、上記無線通信ネットワークは、１つのシステム帯域幅内に無線アクセスインターフェースを提供するインフラストラクチャ機器を備え、上記システム帯域幅は、複数の帯域幅部分を備え、
上記通信デバイスは、複数の活性化された帯域幅部分を使用して信号を送信するように構成された送信機と、上記複数の活性化された帯域幅部分を使用して、複数の活性化されたビームを使用して送信された信号を受信するように構成された受信機と、
上記通信デバイスが、第１の帯域幅部分に関連する１つの活性化されたビームがビーム障害基準を満たすことを判定するように、上記複数の活性化された帯域幅部分から第２の帯域幅部分を選択するように、かつ、上記第１の帯域幅部分に関連する１つの活性化されたビームがビーム障害基準を満たすことを示すビーム障害表示を、選択された上記第２の帯域幅部分に関連する通信リソースを使用して送信するように動作可能であるように、
上記送信機および上記受信機を制御するように構成されたコントローラと、を具備する、通信デバイスを提供することができる。
【００１０】
インフラストラクチャ機器にさらに関する本技術の実施形態は、通信デバイス、インフラストラクチャ機器、および、通信デバイスおよびインフラストラクチャ機器用の回路を動作させる方法に関し、複数の帯域幅部分に関連する通信リソース上の信号の伝送に使用されるビームの状態を測定かつ報告するためのリソースの効率的な使用を可能にする。
【００１１】
本開示のそれぞれの態様および特徴は、添付の特許請求の範囲において定義される。
【００１２】
前述の一般的な説明および以下の詳細な説明の両方が、本技術の例示であるが、本技術を限定するものではないことを理解されたい。説明される実施形態はさらなる利点とともに、添付の図面と併せて以下の詳細な説明を参照することによって最もよく理解される。
【図面の簡単な説明】
【００１３】
いくつかの図を通して同じ参照番号が同一または対応する部品を示すので、以下の詳細な説明を、添付の図面と併せて考察すると、本開示およびそれに付随する多くの利点が、以下の詳細な説明を参照することによってよりよく理解される。
【図１】本開示の例示的な実施形態に従って動作するように構成されたLTEタイプのワイヤレス電気通信システムのいくつかの態様を概略的に表したものである。
【図２】本開示の実施形態に従って動作するように構成された新しい無線アクセス技術(RAT)ワイヤレス通信ネットワークのいくつかの例示的な態様を概略的に表したものである。
【図３】無線アクセスインターフェースの一部を示したものであり、システム帯域幅は、独立して活性化および非活性化される複数の帯域幅部分を備える。
【図４】本開示の一実施形態による電気通信システムを概略的に示したものである。
【図５】本技術の一実施形態に従って構成されたセル内のビームの例示的な構成を平面図で示したものである。
【図６】システム帯域幅が独立して活性化および非活性化される複数の帯域幅部分を備え、帯域幅部分のうちの1つが、主要な帯域幅部分として指定される、無線アクセスインターフェースの一部を示したものである。
【図７】本技術の実施形態による通信デバイスのためのプロセスフローチャートを示したものである。
【図８】本技術の実施形態による通信デバイスのためのさらなるプロセスフローチャートを示したものである。
【発明を実施するための形態】
【００１４】
（Long Term Evolution Advanced Radio Access Technology (4G)）
図1は、一般にLTE原理に従って動作するが、他の無線アクセス技術もサポートすることができ、本明細書で説明されるような本開示の実施形態を実装するように適合させることができる、モバイル遠隔通信ネットワーク/システム100のいくつかの基本的な機能を示す概略図を提供する。
図1の様々な要素およびそれらのそれぞれの動作モードの特定の態様は、3GPP(RTM)機関によって管理される、関連する規格において周知であり、定義もされており、また、その議題に関する多くの書籍、例えば、Holma H.およびToskala Aの非特許文献２にも記載されている。
本明細書で特に記載されていない電気通信ネットワークの動作態様(例えば、異なる要素間で通信するための特定の通信プロトコルおよび物理チャネルに関して)は、例えば、関連する規格およびその関連する規格に対する既知の提案された修正および追加に従った、任意の既知の技法に従って実装され得ることが理解される。
【００１５】
ネットワーク100は、コアネットワーク部102に接続された複数の基地局101を含む。各基地局は、サービスを受ける通信デバイス104との間でデータを通信することができるカバレージエリア103(例えば、セル)を提供する。データは、基地局101から、それぞれのカバレージエリア103内の通信デバイス104に、無線ダウンリンクを介して送信される。
通信デバイス104から基地局101へは、無線アップリンクを介してデータが送信される。コアネットワーク部102は、各基地局101を介して通信デバイス104との間でデータの送受信を行うものであり、認証、モビリティ管理、課金等の機能を提供する。通信デバイスは、移動局、ユーザ機器(UE)、ユーザ端末、モバイル無線、端末デバイスなどと呼ばれることもある。
ネットワークインフラストラクチャ機器/ネットワークアクセスノードの一例である基地局は、トランシーバ局/ノードB/eノードB、gノードBなどと呼ばれることもある。この点で、異なる用語は、広く同等の機能性を提供する要素のための異なる世代の無線電気通信システムに、しばしば関連する。
しかしながら、本開示の例示的な実施形態は、異なる世代の無線電気通信システムにおいて同等に実装されてもよく、簡潔にするために、基礎となるネットワークアーキテクチャにかかわらず、特定の用語が使用されてもよい。すなわち、特定の実施例に関連する特定の用語の使用は、これらの実施例がその特定の用語に最も関連する可能性のある特定の世代のネットワークに限定されることを示すことを意図していない。
【００１６】
図2は、本明細書で説明される本開示の実施形態による機能を提供するようにも適合され得る、以前に提案されたアプローチに基づく、New RAT無線通信ネットワーク/システム300のためのネットワークアーキテクチャを示す模式図である。
図2に示すNew RATネットワーク300は、第１の通信セル301と第２の通信セル302とを含む。各通信セル301、302は、それぞれの有線または無線リンク351、352を介してコアネットワーク構成要件310と通信する制御ノード(集中ユニット)321、322を備える。
また、各制御ノード321、322は、それぞれのセル内の複数の分散ユニット(無線アクセスノード/遠隔送受信ポイント(TRP))311、312とも通信している。この場合も、これらの通信は、それぞれの有線または無線リンクを介して行うことができる。
分散ユニット311、312は、ネットワークに接続された通信デバイスに無線アクセスインターフェースを提供する役割を果たす。各分散ユニット311、312は、それぞれの通信セル301、302のカバレージを共に定義するカバレージエリア(無線アクセスフットプリント)341、342を有する。
各分散ユニット311、312は、無線信号の送受信のための送信機回路（受信機回路）と、それぞれの分散ユニット311、312を制御するように構成されたプロセッサ回路（コントローラ回路）とを含む。
【００１７】
広大なトップレベルの機能性の観点から、図2に表されるNew RAT通信ネットワークのコアネットワーク部310は、図1に表されるコアネットワーク102に対応すると広く考慮することができる。それぞれの制御ノード321、322およびそれらの関連する分散ユニット/TRP311、312は、図1の基地局101に対応する機能性を提供すると広く考慮することができる。
ネットワークインフラストラクチャ機器/アクセスノードという用語は、これらの構成要件およびワイヤレス通信システムのより従来の基地局型の構成要件を包含するために使用されてもよい。手元のアプリケーションに応じて、それぞれの分散ユニットと通信デバイスとの間の無線インターフェース上でスケジュールされる伝送をスケジュールする義務は、制御ノード/集中ユニット、および/または、分散ユニット/TRPにあるといってもよい。
【００１８】
図2には、第１の通信セル301のカバレージエリア内にある通信デバイス400が示されている。したがって、この通信デバイス400は、第１の通信セル301に関連する分散ユニット311のうちの1つを介して、第１の通信セル内の第１の制御ノード321と信号を交換することができる。
いくつかの場合、所与の通信デバイスの通信は、分散ユニットのうちの1つだけを介してルーティングされるが、いくつかの他の実装形態では、所与の通信デバイスに関連する通信が、例えばソフトハンドオーバの場合（シナリオ）および他の場合において、2つ以上の分散ユニットを介してルーティングされ得ることが理解される。
通信デバイスが関連する制御ノードを介して現在接続されている特定の（複数の）分散ユニットは、通信デバイスのための活性分散ユニットと呼ばれることがある。したがって、１つの通信デバイスのための複数の分散ユニットのアクティブサブセットは、1つ以上の分散ユニット(TRP)を備えることができる。
制御ノード321は、第１の通信セル301にわたる分散ユニット311のうちのどれが、任意の所定の時間に通信デバイス400との無線通信を担当するか(すなわち、分散ユニットのうちのどれが、端末デバイスのための現在の活性分散ユニットであるか)を決定する責任を負う。通常、これは、通信デバイス400と分散ユニット311のそれぞれとの間の無線チャネル条件の測定に基づくことになる。
この点に関して、通信デバイスのために現在アクティブであるセル内の分散ユニットのサブセットは、少なくとも部分的に、セル内の通信デバイスの位置に依存することが理解される(これは、通信デバイスと分散ユニットのそれぞれとの間に存在する無線チャネル条件に著しく寄与するからである)。
【００１９】
少なくともいくつかの実施形態では、通信デバイスから制御ノード(制御ユニット)への通信のルーティングにおける分散ユニットの関与は、通信デバイス400に対して透過的である。
すなわち、通信デバイスは、どの分散ユニットが通信装置400と、通信装置が現在動作している通信セル301の制御ノード321との間の通信のルーティングに責任を負うか、または、任意の分散ユニット311が制御ノード321に接続され、通信のルーティングに完全に関与する場合でさえ、認識しない場合がある。
このような場合、通信デバイスに関係する限り、通信デバイスは、単に制御ノード321にアップリンクデータを送信し、制御ノード321からダウンリンクデータを受信するだけであり、通信デバイスは、分散ユニット311によって送信される無線構成を認識することができるが、分散ユニット311の関与を認識しない。
しかしながら、他の実施形態では、通信デバイスが、どの（複数の）分散ユニットがその通信に関与しているかを認識してもよい。1つ以上の分散ユニットのスイッチングおよびスケジューリングは、通信デバイスのアップリンク信号の分散ユニットによる測定値、または、通信デバイスによって取得され、1つ以上の分散ユニットを介して制御ノードに報告される測定値に基づいて、ネットワーク制御ノードにおいて行われてもよい。
【００２０】
図2の例では簡略化のために、2つの通信セル301、302および1つの通信デバイス400が示されているが、実際にはシステムは、より多数の通信デバイスにサービスを提供する (それぞれの制御ノードおよび複数の分散ユニットによってサポートされる) より多数の通信セルを備えることができることが理解される。
【００２１】
図2は、本明細書で説明される原理によるアプローチが採用され得るNew RAT通信システム用に提案されたアーキテクチャの単なる一例を表し、本明細書で開示される機能は、異なるアーキテクチャを有する無線通信システムに関しても適用され得ることがさらに理解される。
【００２２】
したがって、本明細書で説明される本開示の例示的な実施形態は、図1および図2に示される例示的なアーキテクチャなど、様々な異なるアーキテクチャによる無線電気通信システム/ネットワークにおいて実装され得る。したがって、任意の所定の実装における特定の無線通信アーキテクチャは、本明細書に記載する原理にとって主要な重要性がないことが理解される。
この点に関して、本開示の例示的な実施形態は一般に、ネットワークインフラストラクチャ機器/アクセスノードと通信デバイスとの間の通信状況で説明することができ、ネットワークインフラストラクチャ機器/アクセスノードおよび通信デバイスの特定の性質は、目前の実装形態のためのネットワークインフラストラクチャに依存することになる。
例えば、いくつかの場合では、ネットワークインフラストラクチャ機器/アクセスノードが、本明細書で説明される原理に従って機能を提供するように適合された、図1に示されるようなLTEタイプ基地局101のような基地局を備えてもよく、他の例では、ネットワークインフラストラクチャ機器/アクセスノードが、本明細書で説明される原理に従って機能を提供するように適合された、図2に示される種類の制御部/制御ノード321、322および/またはTRP 311、312を備えてもよい。
【００２３】
本発明の実施形態は、5Gまたは新しい無線（NR）アクセス技術と呼ばれるものなどの高度な無線通信システムに適用することができる。NR技術を組み込むシステムは、レイテンシ、データレート、および/または信頼度に関する異なる要件によって特徴付けられ得る異なるサービス(またはサービスのタイプ)をサポートすることが期待される。
例えば、拡張モバイルブロードバンド(eMBB)サービスは、20Gb/sまでをサポートする要件とする高容量で特徴付けられる。超高信頼低遅延通信（URLLC）サービス（非特許文献１）に対する要件は、1msのユーザプレーンレイテンシを有する32バイトパケットの1つの伝送に対して1−10-5(99.999%)の信頼性を有するものである（非特許文献３）。
大容量マシンタイプ通信(mMTC)は、NRベースの通信ネットワークによってサポートされ得るサービスの別の例である。
【００２４】
図1に示される無線アクセスネットワークの要素は、用語の変更が上述のように適用され得ることを除いて、5Gの新しいRAT構成に等しく適用され得る。
【００２５】
（帯域幅部分）
図1の通信デバイス104およびインフラストラクチャ機器101などの通信デバイスおよびインフラストラクチャ機器は、無線アクセスインターフェースを介して通信するように構成されている。
無線アクセスインターフェースは、1つ以上キャリアを備えることができ、各キャリアは、キャリア周波数の範囲内で、無線アクセスインターフェースの構成に従って信号を送受信するための通信リソースを提供する。
1つ以上のキャリアは、インフラストラクチャ機器101がその一部を形成する無線通信ネットワークのために提供されるシステム帯域幅内に構成され得る。キャリアの各々は、周波数分割二重（多重）方式でアップリンク部分とダウンリンク部分とに分割されてもよく、1つ以上の帯域幅部分(BWP)を備えてもよい。
したがって、キャリアは、信号を送信または受信するために、通信デバイス用の複数の異なるBWPを備えて構成されてもよい。
【００２６】
無線アクセスインターフェースの性質は、異なるBWP間で異なってもよい。例えば、無線アクセスインターフェースが直交周波数分割多重化に基づく場合、異なるBWPは、異なるサブキャリア間隔、シンボル期間、および/またはサイクリックプレフィックス長を有し得る。BWPは異なるバンド幅を有してもよい。
【００２７】
BWPを適切に構成することによって、インフラストラクチャ機器は、異なるタイプのサービスに適したBWPを提供することができる。例えば、eMBBにより適したBWPは、高いデータレートをサポートするために、より広い帯域幅を有する。
URLLCサービスに適したBWPは、より短いレイテンシ（待ち時間）の伝送を可能にするために、より高いサブキャリア間隔およびより短いスロット持続時間を使用する。
【００２８】
BWPに適用可能な無線アクセスインターフェースのパラメータは、BWPの数値論と総称されてもよい。このようなパラメータの例は、サブキャリア間隔、シンボルおよびスロット持続時間およびサイクリックプレフィックス長である。
【００２９】
図3は、周波数f1から周波数f6まで延在するシステム帯域幅410内に構成された第１〜第３のBWP401a〜cの一例を示す。以下の表1は、BWP401a〜cの各々の特性の概要を提供する。
＜BWPの特性の概要＞
【表１】
2022501979.tif 000003
表1に示すように、各BWPは、インデックス番号(bwp−id)によって識別することができる。
【００３０】
図3の例では、BWP401a-cが、システム全体の帯域幅410にまたがっていない。しかしながら、いくつかの例では1つ以上のBWPの周波数範囲が、集合的にシステム帯域幅410に及ぶ(言い換えれば、システム帯域幅内のすべての周波数は、少なくとも1つのBWP内に収まる)。
BWPの周波数範囲は、完全に別のBWPの周波数範囲内にあってもよい(この場合、第２のBWP 401bは、第１のBWP 40laの帯域幅内にある)。
【００３１】
BWPは、アップリンクまたはダウンリンク通信のための通信リソースを含むことができる。通信デバイスの場合、アップリンク(UL)BWPおよびダウンリンク(DL)BWPは、独立して構成されてもよく、UL BWPとDL BWPとの関連付け(例えば、ペアリング)が構成されてもよい。
いくつかの実施形態では、アップリンクおよびダウンリンク通信リソースが、時間的に分離され、その場合、時分割複信(TDD)が使用され得る。TDDの場合、一対のBWP(同一のbwp−idを有するUL BWPおよびDL BWP)は、同一の中心周波数を有し得る。
いくつかの実施形態では、アップリンクおよびダウンリンク通信リソースが、周波数において分離され、その場合、周波数分割複信(FDD)が使用され得る。FDDが使用される場合、UL BWPおよびDL BWPは、1つがアップリンク通信のための通信リソースを備え、1つがダウンリンク通信のための通信リソースを備える、2つの不連続な周波数帯域を備え得る。
本開示の残りの部分では、「帯域幅部分」(BWP)という用語は、関連するアップリンク帯域幅部分およびダウンリンク帯域幅部分のペア（対）を指すために使用され、したがって、アップリンク送信およびダウンリンク送信の両方のための通信リソースを備える。
「アップリンク帯域幅部分」および「ダウンリンク帯域幅部分」という用語は、それぞれアップリンク通信リソースおよびダウンリンク通信リソースのみで構成される帯域幅部分を指すのに適切な場合に使用される。
【００３２】
活性化されたBWPは、通信デバイス104との間のデータの送信または受信のために使用され得るBWPを指す。インフラストラクチャ機器は、通信デバイス104のために１つのBWPが現在活性化されている場合に、通信デバイス104へのまたは通信デバイス104による伝送を、そのBWP上のみでスケジュールすることができる。
【００３３】
非活性化されたBWP上では、通信デバイス104は、PDCCHを監視することができず、PUCCH、PRACH、およびUL−SCH上で送信することができない。
【００３４】
従来、図3に示されるように、アップリンク通信リソースを提供する多くとも1つのBWPと、ダウンリンク通信リソースを提供する多くとも1つのBWPとは、特定の通信デバイスに関して任意の所定の時間に活性化され得る。
図3の例では、最初に(時刻tlの前に)、第１のBWP 40laのみが活性化される。時間tlにおいて、最初のBWP 40laは非活性化され、第２のBWP 40lbが活性化される。その後、時間t2において、第２のBWP 40lbが非活性化される。t2からt3までは第３のBWP 40lcのみが活性化され、t3からt4までは第２のBWP 40lbのみが活性化され、t4では第１のBWP 40laが活性化され、第２のBWP 40lbが非活性化される。
【００３５】
BWPに適用可能であり得る異なる数値論を考慮すると、単一の活性化されたBWPは、異なるサービスが異なる要件(例えば、レイテンシ要件)または特性(例えば、帯域幅/データレート)を有する場合、異なるサービスに関連するデータの送信に適していない場合がある。
それに加えて、またはその代わりに、単一の通信デバイスの要件のための、単一のBWP上に不十分な容量が存在し得る。したがって、単一の通信デバイスのために複数のBWPを活性化する可能性が考慮されてきた。
【００３６】
活性化される前に、１つのBWPが、通信デバイス104による使用のために構成され得る。すなわち、通信デバイス104は例えば、インフラストラクチャ機器101によって送信される無線リソース制御(RRC)信号によって、BWPの特性を決定することができる。
【００３７】
（ビーム）
3GPPによって開発されている新しい無線(NR)アクセス技術を含むいくつかの無線アクセス技術によれば、セルは、複数の指向性ビームによって形成(すなわち、「生成」)され得る。
各ビームは、アンテナからの方向に対する利得の変化によって特徴付けられてもよく、１つのビームは、広い範囲の方向にわたって一貫して比較的高ゲインである「広い」、または、狭い範囲の方向にわたってのみ比較的高ゲインが達成される「狭い」と考えられてもよい。
インフラストラクチャ装置に関する通信デバイスの方向に応じて、特定のビームのゲインは、通信デバイスとインフラストラクチャ装置との間のビームを介した通信を可能にするのに十分に高い(その結果生じる結合損失が十分に低い)ことがある。
フェーズドアレイ・アンテナ、指向性アンテナ、両者の組み合わせ、または他の公知手法を用いて、インフラストラクチャ装置で送受信するためのビームを形成することができる。
【００３８】
特定のBWPのような通信リソースは、1つ以上のビームに関連付けられ得る。言い換えると、インフラストラクチャ機器は、ビームのすべてまたはいくつかのサブセット上での通信リソースを使用して送受信することができる。
インフラストラクチャ機器が、そのビームを使用してそれらの通信リソース上で送受信する場合、ビームは、通信リソースに関して「活性化」されていると言ってもよい。例えば、1つ以上のビームが、１つのBWPに関して活性化されてもよい。同一のセル内の異なる通信デバイスは、異なる設定のビームを使用してもよい。
【００３９】
しかしながら、単一の通信デバイスのために複数のBWPが活性化されるシナリオにおいて、複数のビームの使用を監視かつ管理する効率的な手段を提供する必要がある。
【００４０】
本開示の実施形態によれば、無線通信ネットワークにおいて使用するための通信デバイスが提供され、無線通信ネットワークは、システム帯域幅内に無線アクセスインターフェースを提供するインフラストラクチャ機器を備え、システム帯域幅は、複数の帯域幅部分を備える。通信デバイスは、複数の活性化された帯域幅部分を使用して信号を送信するように構成された送信機と、複数の活性化された帯域幅部分を使用して信号を受信するように構成された受信機と、コントローラとを備える。受信した信号は、複数の活性化されたビームを使用してインフラストラクチャ機器によって送信される信号である。
コントローラは、通信デバイスが複数の活性化された帯域幅部分から第１の帯域幅部分を選択し、選択された第１の帯域幅部分に関連する１つの活性化されたビームが、ビーム障害基準を満たすことを判定し、第２の帯域幅部分を、複数の活性化された帯域幅部分から選択し、選択された第２の帯域幅部分に関連するリソースを使用して、インフラストラクチャ機器に、その選択された第１の帯域幅部分に関連する１つの活性化されたビームが、ビーム障害基準を満たすことを示すビーム障害表示を送信するように、送信機および受信機を制御するように構成される。
【００４１】
（第１の、主要な、およびデフォルトのBWP）
１つのBWPは、システム情報のダウンリンク送信をスケジュールするために使用されるダウンリンク情報のための制御リソース設定を提供する第１のBWPとして指定され得る。
【００４２】
１つのBWPは、常に起動され、通信デバイス104にまたは通信デバイス104によって制御情報を送信するために使用され得る、主要なBWPとして指定され得る。
したがって、主要なBWPは常に起動され、データ送信のために使用され得るので、主要BWPが例えば、輻輳または帯域幅の欠如のために、進行中または新たなサービスに不適切であるか、または不十分である場合にのみ、1つ以上のさらなる(第２の)BWPを活性化することが必要であり得る。
【００４３】
代替的に、または追加的に、１つのBWPはデフォルトのBWPとして指定され得、BWPがデフォルトBWPとして明示的に構成されない場合、第１のBWPとして指定されるBWPは、デフォルトBWPであり得る。
【００４４】
デフォルトBWPは、デフォルトBWP以外のBWPに関連付けられた、非アクティブタイマの後にUEがフォールバックするBWPとして定義されてもよい。
例えば、非デフォルトBWPが関連する非アクティブタイマの満了の結果として非活性化され、他の非デフォルトBWPが活性化されていない場合、デフォルトBWPは、応答して活性化されてもよい。
【００４５】
デフォルトBWPには、他の非デフォルトBWPの活性化または非活性化の優先順位とは異なる活性化または非活性化の優先順位が設定されていてもよい。
デフォルトBWPは、優先的に活性化されてもよく、かつ/または、最も低い優先度で非活性化されてもよい。例えば、デフォルトBWPは、活性化されたBWPの最大数を超過するように、さらなるBWPが有効化されない限り、活性化されたままであってもよい。
さらにデフォルトBWPは、異なるBWPが活性化または非活性化されるべきであるという指示を送信するために優先的に使用されてもよい。
【００４６】
図4は、本開示の一実施形態による電気通信システム500を概略的に示したものである。
この例における電気通信システム500は、概して、LTEタイプのアーキテクチャに基づいている。したがって、電気通信システム/ネットワーク500の動作の多くの態様が知られており、理解されており、簡潔にするために本明細書では詳細に説明しない。
本明細書で具体的に説明されていない電気通信システム500の動作態様は、任意の既知の技法に従って、たとえば、最新のLTE規格に従って実装され得る。
【００４７】
電気通信システム500は、無線ネットワーク部に連結されたコアネットワーク部102を備える。無線ネットワーク部は、一般に矢印508によって示された無線アクセスインターフェースを介して、通信デバイス104（端末デバイスとも呼ばれ得る)に連結されたインフラストラクチャ機器101(発展型ノードBであり得る)を備える。
当然ながら、実際には、無線ネットワーク部が様々な通信セルにわたってより多数の通信デバイスにサービスを提供する複数の基地局を備えることができることが理解される。しかしながら、簡単にするために、単一のインフラストラクチャ機器および単一の通信デバイスのみが図4に示されている。
【００４８】
上述のように、図4に示される通信システム500の様々な要素の動作は、本明細書で説明されるような本開示の実施形態による機能を提供するように修正される場合を除いて、概して従来のものとすることができる。
【００４９】
インフラストラクチャ装置101は、インターフェース510を介してコアネットワーク102に接続され、コントローラ506に接続されている。インフラストラクチャ機器101は、アンテナ518に接続された受信機504と、アンテナ518に接続された送信機502とを含む。受信機504および送信機502は、両方ともコントローラ506に接続されている。
コントローラ506は、インフラストラクチャ機器101を制御するように構成され、かつ、本明細書でさらに説明するように、所望の機能を提供するための各種サブユニット/サブ回路を順に備えるプロセッサ回路（コントローラ回路）を含んでもよい。
これらのサブユニットは、個別のハードウェア要素として、または、プロセッサ回路における適切に構成された機能として実装され得る。
したがって、コントローラ506は、無線電気通信システムにおける機器のための従来のプログラミング/構成技術を用いて、本明細書に記載される所望の機能性を提供するように適切に構成/プログラミングされた回路から構成することができる。
送信機502およびコントローラ506は、表現を容易にするために別個の要素として図4に概略的に示されている。しかしながら、これらの回路素子の機能性は例えば、1つ以上の適切にプログラム可能なコンピュータ、または、1つ以上の適切に構成された特定用途向け集積回路/回路/チップ/チップセットを用いて、様々な異なる方法で提供され得ることが理解される。
インフラストラクチャ機器101は一般に、その操作機能に関連する様々な他の要素を備え得ることが理解される。
【００５０】
それに対応して、通信デバイス104は、アンテナ520から信号を受信する受信機514に接続されたコントローラ516を含む。また、コントローラ516は、アンテナ520にも接続された送信機512に接続されている。
コントローラ516は、通信デバイス104を制御するように構成され、かつ、本明細書でさらに説明されるような機能を提供するための各種サブユニット/サブ回路を順に備えるプロセッサ回路（コントローラ回路）を含んでもよい。これらのサブユニットは、個別のハードウェア要素として、またはプロセッサ回路において適切に構成された機能として実装され得る。
従って、コントローラ516は、無線電気通信システムにおける機器のための従来のプログラミング/構成技術を用いて所望の機能性を提供するように適切に構成/プログラミングされた回路を備えることができる。送信機512、受信機514およびコントローラ516bは、表現を容易にするために別個の要素として図4に概略的に示されている。
しかしながら、これらの回路素子の機能性は、例えば、1つ以上の適切にプログラム可能なコンピュータ、または1つ以上の適切に構成された特定用途向け集積回路/回路/チップ(複数可)/チップセット(複数可)を使用して、様々な異なる方法で提供され得ることが理解される。理解されるように、通信デバイス104は一般に、その操作機能に関連する様々な他の要素、例えば、電源、ユーザインターフェースなどを備えるが、これらは簡潔にするために図4には示されていない。
【００５１】
（ビーム管理）
図5は、本技術の実施形態に従った、セル103内の複数のビームの使用、BWPのためのそれらの活性化、および、通信デバイス104から送信される通知メッセージを平面図で示したものである。
【００５２】
図5に示す例では、セル103を形成するために、インフラストラクチャ装置101は、多数のビームを形成し、そのうちの第１のビーム150、第２のビーム152および第３のビーム154のみが示されている。
【００５３】
インフラストラクチャ機器101は例えば、RRC構成によって、第１から第３のビーム150、152、154を含む1つ以上のビームを用いて、通信デバイス104を設定してもよい。
これらの構成されたビームのすべてまたはサブセットは、インフラストラクチャ機器による通信デバイスへのデータを表す信号の送信のために活性化され得る。
活性化されたビームは、初期アクセスメッセージ、モビリティ管理制御メッセージ、および、より高いプロトコルレベルからのユーザデータ(例えば、非アクセス階層ユーザプレーンデータ)を含む制御メッセージを含む、制御またはデータの伝送のために使用され得る。
【００５４】
BWPの通信リソースは、1つ以上の活性化されたビームに関連付けられ得る。例えば、図5中のAの表に示されるように、第１および第２のビーム150、152は、第１のBWP 40laに関連付けられてもよく(または第１のBWP 40laに関して「活性化」されてもよい)、同様に、第３のビーム154は、第３のBWP 40lcに対して活性化されてもよい。
【００５５】
特定の通信リソースは、単一のビーム上でのみ送信するように使用するように事前に構成され得る。通信デバイス104は、RRC構成または他の手段によって、ビームに対するこれらの通信リソースのマッピングを認識することができる。
単一ビーム上の伝送に使用される通信リソースは、参照信号または同期信号を伝送するために、インフラストラクチャ装置によって使用されてもよい。代替的にまたは追加的に、ビームを使用する伝送は、ビームのIDの指示を含んでもよい。
【００５６】
通信デバイス104は、それらが活性化されているか否かにかかわらず、構成されたビーム上で送信される信号を測定することができる。これらの信号は、単一のビームに関連する所定の通信リソースを用いて送信されるチャネル状態情報参照信号(CSI-RS)または同期信号ブロック(SSB)を含んでもよい。
これらの信号を測定することによって、通信デバイス104は、特定のビームが所定のビーム障害基準を満たしているか否かを判定することができる。ビーム障害基準は例えば、受信信号強度および/または受信信号品質が所定のビーム障害閾値を下回る場合に満たされてもよい。
これは、通信デバイス104の信号の遮断、回転、または移動の結果として生じることがある。
【００５７】
例えば、図5中のAに示す例では、通信デバイス104は、第１から第３のビーム150、152、154の高利得領域内にある。表中の「チェック」マークによって示されるように、図5のAに示される状況では、活性化されたBWPのうちの1つに対して活性化されたビームのいずれも、ビーム障害基準を満たさない。
【００５８】
しかしながら、通信デバイス104は、矢印156によって示されるように、移動していてもよい。しばらくすると、インフラストラクチャ装置101に対して移動した通信デバイス104が、第２および第３のビーム152、154の高利得領域内にもはや存在しない、図5のBに示すような状況になることがある。
その結果、第２および/または第３のビーム152、154を使用する伝送のためにのみ使用された通信リソース上で伝送された、または、さもなければそれらのビームを使用して伝送されたものとして識別可能な受信信号の、通信デバイス104によって行われる測定に基づいて、通信デバイス104は、それらの信号の信号強度および/または信号品質がそれぞれの所定のビーム障害閾値未満であり、したがってビームがビーム障害基準を満たしたと判定する。
これを示すために、第２および第３のビーム152、154は図5中のBに実線ではなく破線で示されており、図5のA中の表のチェックは、これを示すために×で置き換えられている。
【００５９】
この判定に応答して、以下でさらに詳細に説明するように、本技術の実施形態によれば、通信デバイス104は、インフラストラクチャ機器101にビーム障害表示160を送信することができる。
図5のBの例におけるビーム障害表示160は、第２および第３のビーム152、154がビーム障害基準を満たしていることを示すことができる。これに応答して、インフラストラクチャ装置101は、セルのビームの数および特性を経時的に適応させることができる。
代替的にまたは追加的に、インフラストラクチャ機器101は、特定のBWPに関して1つ以上のビームを非活性化または活性化することができる。
【００６０】
例えば、インフラストラクチャ機器101は、設定された第4のビーム(図示せず)が現在活性化されるべきであり、現在活性化されている第２のビーム152および第３のビーム154が非活性化されるべきであるという指示(図示せず)を、通信デバイス104に送信することによって、活性化されたビームの組み合わせを修正してもよい。
【００６１】
本明細書で使用されるビーム管理は、上記の例で説明されるようなプロセスおよび技法を集合的に指し、1つ以上のビーム上で送信される信号の１つ以上の測定と、1つ以上のビームがそれぞれのビーム障害基準を満たすかどうかに関する評価と、1つ以上のビームがそれぞれのビーム障害基準を満たすかどうかを示すために活性化されたBWPを使用して通信デバイス104によってインフラストラクチャ機器に送信される指示(例えば、ビーム障害表示160)と、ビームの構成または活性化された組み合わせが変更されることと、ビーム障害基準を満たさなかった活性化されたビームを使用して、送信されたビームに関する制御情報を示す送信と、を含むことができる。
【００６２】
（ビーム障害の回復）
上述したように、少なくとも1つの活性化されたビームが、通信のために利用可能なままである場合、ビーム管理手順は、不適切になる1つ以上のビームに応答して、活性化されるビームの組み合わせを更新し、適応させることができる。
【００６３】
しかしながら、全ての活性化されたビームがビーム障害基準を満たす場合には、この状況から回復するための手順を開始する必要がある。この手順は、ビーム障害回復と呼ばれる。活性化されたビームはすべてビーム破損基準を満たすため、上述のビーム管理手順は、適切ではない。
【００６４】
全ての活性化されたビームがそれぞれのビーム障害基準を満たすという判定に応答して開始される例示的なビーム障害回復手順において、通信デバイス104は、設定されているが活性化されていない第4のビームのような1つ以上のビームに関連するCSI−RSまたはSSBの信号強度(たとえば、基準信号受信電力、RSRP)の測定を実行する。
【００６５】
これらの測定値は、RSRP閾値のような所定の閾値と比較されてもよい。
通信デバイス104が、第4のビームに関連する測定値が所定の閾値を超えると判定した場合、通信デバイス104は、新しい識別されたビームの物理ランダムアクセスチャネル(PRACH)を使用して、ランダムアクセスメッセージとしてビーム障害回復要求メッセージ(ビーム障害表示の一例)を送信する。
【００６６】
PRACH上の通信リソースは、非競合ベースのランダムアクセス伝送に適していると前もって示されていてもよく、その場合、ビーム障害回復要求メッセージは、それらのリソースを使用して、無競合方式で伝送されてもよく、さもなくば、ビーム障害回復要求メッセージは、競合ベースの方式で伝送されてもよい。
【００６７】
ビーム障害回復要求メッセージを送信した後、通信デバイス104は、新しい識別されたビームに関連するダウンリンク通信リソースを監視する。
より具体的には、通信デバイス104は、ダウンリンク制御情報(DCI)についてのIDとして「recoverySearchSpaceld」を有する「recoverySearchSpace」とすることができる設定された回復探索空間を監視することができる。
【００６８】
共有ダウンリンクチャネル(物理ダウンリンク共有チャネル、PDSCHなど)上の通信リソースが、ビーム障害回復要求メッセージに対する応答の、インフラストラクチャ機器101による伝送のために使用されるようにスケジュールされていることを示す、構成された通信リソース内のダウンリンク制御情報を、通信デバイス104が受信した場合、通信デバイス104は、ビーム障害回復が成功したと判定する。
【００６９】
ダウンリンク制御情報の受信に応答して、通信デバイス104は、新しい識別されたビームを、活性化されたビームとして設定する。
新しい(活性化された)ビームは、通信デバイスのために活性化されるべき1つ以上のビームを示すための制御情報の送信を含む、インフラストラクチャ機器101と通信デバイス104との間の後続の通信のために使用されることができる。
通信デバイス104は例えば、従来の方法で、共有ダウンリンクチャネル上でスケジュールされた通信リソースを使用して送信されたデータを復号し、処理することができる。
【００７０】
（ビーム管理リソース）
集合的に、ビーム障害基準、ビーム管理、およびビーム障害回復手順に対するビームの評価に関連する通信リソースは、ビーム管理リソースと呼ばれる。これらは、CSI参照信号またはSSBが送信されるダウンリンクリソース、アップリンクPRACHリソース、および回復探索空間を含むことができる。
ビーム管理リソースが１つのBWPに関連付けられる場合、ビーム管理リソースのすべてはそのBWP内に存在することができる。代替として、１つのBWPに関連付けられる、ダウンリンクSSB通信リソースのようなビーム管理リソースのいくつかの部分は、それぞれのBWPの通信リソース内にない通信リソースを備えてもよい。
【００７１】
全てのBWPがビーム管理リソースで構成されるわけではない。
所与の活性化されたBWP上のすべての活性化されたビームのビーム障害が検出され、ビーム障害回復手順を実行するためにそのBWP上にビーム管理リソースがない(または不十分)場合、通信デバイス104は、移動するまで、かつ/または、必要なビーム管理リソースを有するBWPが活性化されるまで、ビーム障害回復手順を実行することができないことがある。
あるいは、無線リンク障害の基準が満たされていると判定されてもよい。
【００７２】
（無線リンク障害）
サービングセル(例えば、セル103)に関連する無線リンクの質は、例えば各々事前定義された持続時間において1回、定期的に評価され得る。セルの無線リンクの質は、活性化されたBWPに関連付けられたリソース上で送信された信号の測定値に基づいて決定され得る。
所定の閾値が、無線リンクの質の評価と共に、現在同期しているセルが同期外れであるとしてより高いレイヤに宣言されるべきかどうか、またはその逆を決定するために使用される。
【００７３】
（複数の活性化されたBWPのビーム管理およびビーム障害）
本技術のいくつかの実施例によれば、ビーム障害閾値を含むビーム管理リソースおよび共通のビーム障害基準の単一の設定が、全てのビームおよび全てのBWPに関して使用される。
【００７４】
このような実施形態では、所与の通信デバイスのための各々活性化されたBWPのために、同一の設定のビームが使用され得る。
例えば、図5のAに例示されているシナリオとは対照的に、いくつかの実施形態では、第１および第３のBWP40la、40lcのような複数の活性化されたBWPの各々に関して、第１から第３のビーム150、152、154を活性化することができる。
【００７５】
あるいは同一の設定のビームが、各々活性化されたBWPの同一のタイプのチャネルに使用される。例えば、１つの設定のPDCCHビームが、PDCCHビームが発生するBWPにかかわらず、任意のPDCCH送信のために使用されてもよい。
同様に、全ての活性化されたBWP上の全てのPDSCH送信が、同一の設定のビームを使用するが、この設定は、PDCCHビームとは異なってもよい。
【００７６】
ビーム管理リソースは、2つ以上のBWPが活性化された場合であっても、活性化されたBWPのうちの1つのみに構成されてもよい。
全ての活性化されたビームおよび全ての活性化されたBWPに適用可能な単一のビーム障害閾値は、例えば、インフラストラクチャ装置101によって通信デバイス104に信号が送られて、予め決定されてもよい。
【００７７】
図6は、図3に関して上述したように構成された第１〜第３のBWP40la-cを示しているが、図6に示す実施形態では、第３のBWP 40lcが主要BWPとして指定され、他の(第２の)BWP40la、40lbのうちの1つ以上が活性化されているかどうかにかかわらず、活性化されたままである。
【００７８】
図6に示す例のように、設定されたBWPの1つが主要BWPとして指定されている場合、ビーム管理リソースは、主要BWP(すなわち、図6の第３のBWP40lc)上でのみ設定されてもよい。
【００７９】
指定された主要BWPがなく、構成されたBWPのうちの1つがデフォルトBWPとして指定される場合、本技術の実施形態によれば、デフォルトBWPが活性化されると、ビーム管理リソースが、デフォルトBWP上に構成される。
さらに、ビーム管理リソースは、デフォルトBWPが活性化されない場合に使用するために、所定の優先順位付けスキームに従って、さらなる非デフォルトBWP上に構成され得る。
【００８０】
したがって、構成されたBWPがデフォルトBWPとして指定され、デフォルトBWPが活性化されていない場合、または、構成されたBWPがデフォルトBWPとして指定されていない場合、またはいずれにせよ、デフォルトBWPとして指定されていない活性化されたBWP上にビーム管理リソースを構成することができる。
【００８１】
通信デバイスは、活性化されたBWPのうちのどの1つが、所定の優先順位付けスキームに従ってビーム管理リソースを構成するかを決定し得る。
構成されたビーム管理リソースを有する活性化されたBWPは、BWPの1つ以上の特性(例えば、インデックス番号、帯域幅、サブキャリア間隔、およびネットワーク割り当て優先度)に基づいて、所定の優先順位付けスキームに従って決定されてもよい。ネットワーク割り当て優先順位は、活性化された各BWPに明示的または暗黙的に割り当てられてもよく、好ましくは構成された各BWPに追加的に割り当てられる。
【００８２】
例えば、所定の優先順位付けスキームに従って、ビーム管理リソースは、最も高いサブキャリア間隔を有する活性化されたBWP上に構成されてもよく、同一の(最も高い)サブキャリア間隔を有する2つ以上のBWPが存在する場合、最も高いインデックス番号を有するBWP上に構成されてもよい。
【００８３】
別の例では所定の優先順位付けスキームに従って、ビーム管理リソースが構成されるBWPは、最も高いネットワーク割り当て優先順位を有する活性化されたBWPであってもよい。
【００８４】
どのBWPに、ビーム管理リソースが構成されるのかを決定するために、通信デバイス104において実施され得るプロセスが、図7に示されている。
【００８５】
図7のプロセスは、ステップ530で開始し、ここで、通信デバイス104は、構成されたBWPのうちの1つが主要BWPとして指定されているかどうかを判定する。その場合、制御はステップ540に移り、ここで、通信デバイス104は、ビーム管理リソースが主要BWPとして指定されたBWP上に構成されていると判定する。
【００８６】
ステップ530で、通信デバイス104が、構成されたBWPが主要BWPとして指定されていないと判定した場合、制御はステップ550に移る。
【００８７】
ステップ550で、通信デバイス104は、構成されたBWPのうちの1つがデフォルトBWPとして指定されているかどうかを判定する。その1つが指定されている場合、制御はステップ560に進み、ここで、通信デバイス104は、デフォルトBWPが活性化されているかどうかを判定する。
活性化されている場合、制御はステップ570に移り、通信デバイス104は、ビーム管理リソースがデフォルトBWPとして指定されたBWP上に構成されていると判定する。
【００８８】
ステップ550において、構成されたBWPがデフォルトBWPとして指定されていないと判定された場合、または、ステップ560において、デフォルトBWPが活性化されていないと判定された場合、制御はステップ580に移り、通信デバイス104は、ビーム管理リソースが所定の優先順位付けスキームに従って構成されるBWPを決定する。
【００８９】
図7のプロセスのステップのうちの1つ以上は省略されてもよく、ステップの順序は変更されてもよい。
例えば、いくつかの実施形態では、BWPを主要BWPとして指定する可能性がない場合があり、その場合、ステップ530および540を省略することができ、プロセスはステップ550から開始することができる。
【００９０】
いくつかの実施形態では、活性化された複数のビームを使用して送信された複数の信号の測定が、ビーム管理リソースが構成されているBWPの通信リソース上で測定される。
【００９１】
いくつかの実施形態において、測定結果が比較される単一のビーム障害閾値は、ビーム管理リソースが構成されるBWPにかかわらず、適用可能であり得る。
【００９２】
いくつかの実施形態では、ビーム障害閾値は、ビーム管理リソースが構成されるBWPによって決まってもよく、例えば、ビーム障害閾値は、各々構成されたBWPに対して構成されてもよく、この適用可能なビーム障害閾値(すなわち、測定値が比較されるもの)は、ビーム管理リソースが構成されるBWPに関連するものであってもよい。
【００９３】
いくつかの実施形態では、ビーム管理リソースは、複数の構成されたBWP上で構成され得る。
【００９４】
いくつかの実施形態では、図7のプロセスが、どのビーム管理リソースが使用されるべきか、かつ/または、どのビーム障害閾値が適用されるべきかを、追加的にまたは代替的に識別するように修正されてもよい。
具体的には、図7のプロセスは、使用されるべき関連するビーム管理リソース、および/または、使用されるべきビーム故障閾値を有するBWPを決定するように修正されてもよい。
【００９５】
図7のプロセスは、1つ以上のビームがビーム障害基準を満たすと判定されたことに応答して、どのBWPがビーム管理リソースを有するのかを判定するために使用され得る。
ビーム障害表示160は、図7のプロセスに従って選択されたBWPのビーム管理リソース上で送信されてもよい。
【００９６】
図7のプロセスが、すべての活性化されたビームがビーム障害基準を満たし、かつ、ビーム障害回復が必要とされる判定に応答して開始される場合、ビーム障害回復は、決定されたBWPの通信リソースを使用してトリガされ得る。
【００９７】
いくつかの実施形態では、インフラストラクチャ機器が、単一の(活性化された)BWP上でビーム管理リソースを構成する。このBWPのIDは、事前にまたはデフォルトBWPが非活性化されたときに、通信デバイス104に示される。
この表示（指示）は、物理ダウンリンク制御チャネル(PDCCH)上で送信されるダウンリンク制御情報(DCI)、または、例えば無線リソース制御構成メッセージ(RRC再構成メッセージ)のレイヤ2(L2)信号メッセージ、または媒体アクセス制御(MAC)の制御エレメント内にあってよい。
【００９８】
単一の設定のビーム管理リソースが使用される実施形態では、ビーム管理は、活性化されたBWPの数とは無関係に、単一の適用可能な設定のビーム管理リソースを使用して行われる。
したがって、ビーム障害基準を評価する目的で測定が行われる通信リソースに関連するBWPと、結果として得られる指示を送信することができるBWPとは、同一のBWPである。
【００９９】
言い換えると、通信デバイス104は、ビーム管理リソースが位置すると判定されたBWPに関連する通信リソースを使用して、1つ以上のビーム上で送信された信号の測定を実行することができる。
従って、通信デバイス104は、同一のBWPの通信リソースを使用して測定結果をインフラストラクチャ装置に送信することができ、また、これに応答して、通信デバイス104用のすべての活性化されたBWPに使用されるべきビームの設定(および/またはビームの特性)を修正することができる。
【０１００】
同様に、(１つのBWPに関連付けられた非活性化されたビームを使用するPRACH上の伝送を含む)ビーム障害回復手順は、そのBWPに関連付けられたビーム管理リソース上の、すべてのビーム上で受信されたダウンリンク基準信号の特性が、ビーム障害閾値を下回ったときにトリガされる。
【０１０１】
本技術のいくつかの実施形態によれば、ビーム管理リソースは、活性化されたBWPごとに構成される。このような実施形態では、各BWPに使用されるビームの設定が同一である必要はない。
いくつかの実施形態では、ビーム障害基準が、各BWPに対して構成されてもよく、すべてのBWPについて同一である必要はない。
好ましくは、ビーム障害基準は、それぞれのBWPが使用されてもよいサービスに関連する要件に従って、各BWPに対して構成される。
【０１０２】
したがって、(上述のような)ビーム管理は、各活性化されたBWPについて独立して実行されてもよい。
例えば、特定のBWPのビームが、そのBWPに適用可能なビーム障害基準を満たす場合、そのBWPのビーム管理リソースは、ビーム管理目的のために使用され得、その結果、そのBWPのための活性化されたビームの設定(または活性化されたビームの設定内の1つ以上のビームの特性)は、それに応じて調整され得る。
【０１０３】
従来、上述したように、１つのBWPに対する全てのビームがビーム障害基準を満たす場合、そのBWP上でビーム障害回復手順を開始することが必要である。
しかしながら、いくつかの実施形態では、1つのBWPに関するビーム障害の判定に応答して、異なる活性化されたBWPを用いたビーム管理手順が、ビーム障害が検出されたBWPの活性化されたビームの設定を修正するために使用されてもよい。
具体的には、異なる活性化されたBWPの1つ以上のビームが、適用可能なビーム障害基準を満たさない場合、この1つ以上のビームが、ビーム障害を被るBWPに関するビーム管理手順のために使用される。
いくつかの実施形態では、ビーム管理手順は、第１のBWPを使用して送信されたビーム障害表示のようなビーム障害の指示が、第２のBWPのすべての活性化されたビームが、ビーム障害基準を満たす第２のBWPのIDを示すように適合されてもよい。
このビーム障害表示は、レイヤ1(Ll)またはレイヤ2(L2)の信号を使用して送信されてもよい。
【０１０４】
同様に、いくつかの実施形態では、ビーム管理手順は、ビーム変更メッセージのような指示が、ビーム変更メッセージの内容が関係するBWPの表示を含むように適合されてもよく、このような指示は、通信デバイス104に、変更された、新たに活性化された、かつ/または新たに非活性化されたビームを通知する。
このビーム変更メッセージは、レイヤ1(Ll)またはレイヤ2(L2)信号を使用して送信される。
【０１０５】
すべての活性化されたBWP上のすべての活性化されたビームのビーム障害が検出された(すなわち、すべての活性化されたBWP上のすべての活性化されたビームが、それぞれのビーム障害基準を満たす)場合、それらのBWPのうちの1つを使用して、単一のビーム障害回復手順が開始されてもよい。
【０１０６】
このような事情でビーム障害回復手順を起動するBWPの選択は、図7に示し、上述したプロセスと同様の方法で選択されてもよい。
言い換えると、ビーム障害回復手順は、主要BWPが指定されている場合には、主要BWPを使用して実行されてもよく、さもなくば、デフォルトBWPが設定され、活性化されている場合に、デフォルトBWPが使用される。
主要BWPが指定されず、デフォルトBWPが活性化されていない場合は、デフォルトBWPの選択は、例えば、最大のサブキャリア間隔を有するBWPが選択されるような優先順位スキームに従ってなされてもよい。
【０１０７】
いくつかの実施形態では、図7のプロセスがビーム障害回復を実行するBWPを決定するために使用される場合、プロセスは以下のように修正され得る。
ステップ530において、主要BWPが指定されていると判定された場合、主要BWP上のすべての活性化されたビームのビーム障害が発生したかどうかに関する判定が行われる。
ビーム障害が発生していない場合、制御は図7に示されるようにステップ540に続き、さもなくば、主要BWPを使用してビーム障害回復を実行することは不可能であり得、制御は、ステップ550(デフォルトBWPが構成されているかどうかの判定)、または、ステップ580(優先順位付けスキームに基づいてBWPを選択する)のいずれかに渡され得る。
【０１０８】
追加または代替として、いくつかの実施形態では、ステップ570の代わりに、デフォルトBWP上のすべての活性化されたビームにビーム障害が発生したという判定(ステップ570の前に実行され得る)に応答して、ステップ580が実行され得る。
【０１０９】
図8は、活性化されたBWPに使用される活性化されたビームが、活性化されたBWPのビーム障害基準を満たす判定に応答して、通信デバイス104によって実行され得るプロセスを図示する。
例えば、上述したように、活性化されたビームの信号の質の信号強度がビーム障害閾値を下回る場合、このプロセスが発生し得る。
【０１１０】
このプロセスは、ステップ610で開始され、ここで、通信デバイス104は、活性化されたBWP(例えば、第１のBWP 40la)に使用される活性化されたビーム上で受信された信号が、第１のBWP 40la上のビームに適用されるビーム障害基準を満たすと判定する。
【０１１１】
プロセスはステップ620に続き、このステップでは、通信デバイス104が、第１のBWP 401a上のすべての活性化されたビームが第１のBWP 401aに適用可能なビーム障害基準を満たしているか否かを判定する。
【０１１２】
(例えば、第１のBWP 401aに使用される1つ以上の活性化されたビームの信号が、ビーム障害閾値以上で測定されるので)そうでない場合、制御はステップ630に進む。
第１のBWP 401aに使用されるすべての活性化されたビームの信号が、ビーム障害基準を満たす場合、制御はステップ640に進む。
ステップ630において、通信デバイス104は、第１のBWP 40laを使用してビーム管理手順を開始する。例えば、通信デバイス104は、第１のBWP 401aに関連付けられた制御チャネルを使用して、第１のBWP 40laのために1つ以上の活性化されたビームおよび設定された(活性化されていない)ビームの信号の測定結果を示すことができる制御メッセージを送信する。
【０１１３】
制御メッセージの受信に応答して、インフラストラクチャ機器101は、第１のBWP 40laのために構成されたビームのうちの1つ以上の特性を適合させることができ、第１のBWP 40laのための活性化されたビームおよび構成されたビームの設定を修正するための指示を通信デバイス104に送信することができる。
【０１１４】
ステップ640において、通信デバイス104は、各々活性化されたBWPについて、そのBWPについてのすべての活性化されたビームが、そのBWPに適用可能なビーム障害基準を満たしているかどうかを判定する。
そうでない場合、制御はステップ650に進み、そうである場合(換言すれば、すべての活性化されたBWP上のすべての活性化されたビームが、それぞれの活性化されたBWPに適用可能なビーム障害基準を満たす場合)、制御はステップ660に進む。
【０１１５】
ステップ650において、通信デバイス104は、活性化された複数のBWPから、適用可能なビーム障害基準を満たさない少なくとも1つの活性化されたビームを有する１つのBWPを選択する。
選択されたBWP(例えば、第２のBWP 40lb)は、優先順位付けスキームに基づいて選択されてもよく、または事前に構成されてもよい。次に、制御はステップ670に進む。
【０１１６】
ステップ670において、ステップ650で選択された第２のBWP 40lbのビームを使用して、通信デバイス104は、第１のBWP 40laに関してビーム管理手順を開始する。
ビーム管理手順の結果として、インフラストラクチャ機器は、第１のBWP 40laのための活性化かつ/または構成されるビームの設定を修正し、第２のBWP 40lbの通信リソースを使用して、使用されるべき(すなわち、構成かつ/または活性化されるべき)修正されたビームの指示を通信デバイス104に送信する。
【０１１７】
ステップ660において、通信デバイス104は、活性化された複数のBWPから、ビーム障害回復手順を開始するための１つのBWP(例えば、第３のBWP 40lc)を選択する。
いくつかの実施形態では、このステップにおけるBWPの選択が、ステップ670のビーム管理手順を実行するためのステップ650における１つのBWPを選択するためのものと同一の優先順位付けスキームまたは構成に従うことができる。
制御は、ステップ660からステップ680に進む。
【０１１８】
ステップ680において、通信デバイス104は、活性化されたすべてのBWPに関して、ビーム障害回復手順を開始する。
これは、選択されたBWP 40lcに関連するPRACH上でのビーム障害回復要求メッセージの伝送を含むことができる。
【０１１９】
ステップ680のビーム障害回復手順の一部として、通信デバイス104は、活性化された複数のBWPのいずれかに関連する、設定されているが活性化されていない任意のビームに関連するCSI-RSまたはSSBを使用して送信される信号の測定を実行してもよい。
これらの測定の結果は、インフラストラクチャ機器への送信において示されてもよい。
【０１２０】
したがって、いくつかの実施形態では、特定のBWPに関連付けられた1つ以上のビームに関してビーム障害基準が満たされたと判定したことに応答して、通信デバイス104は、異なるBWPに関連付けられた通信リソースを使用して、インフラストラクチャ機器101に応答指示を送信し得る。
【０１２１】
複数のBWPが活性化される本技術のいくつかの実施形態によれば、セルの無線リンクの質の評価は、(指定された場合には)主要BWP、(設定され活性化された場合には)デフォルトBWPに関連付けられたリソース上で送信された信号の測定値に基づいて、または、所定の優先順位付け方式に従って決定され得る。
例えば、無線リンク品質評価のためにリソースが測定されるBWPは、図7に示され、上述された、ビーム管理リソースが使用されるべきBWPを決定するためのプロセスと同様の方法で決定されてもよい。
例えば、1つの活性化されたBWPのみがビーム管理リソースで構成される場合、無線リンク品質測定は、構成されたビーム管理リソースを有するそのBWP上のリソースを使用して送信された信号のみについて行われ得る。
【０１２２】
いくつかの実施形態では例えば、ビーム管理リソースが、複数のBWP上で構成され得る場合、無線リンク品質測定は、構成されたビーム管理リソースを有する1つ以上のBWP上のリソースを使用して送信された信号について行われ得る。
【０１２３】
本技術の実施形態によれば、各々活性化されたBWP上でのビーム障害回復のためのリソースを提供または構成する必要性を回避することができる。
いくつかの実施形態では、ビーム障害回復手順を行う可能性を低減することができる。
【０１２４】
各々のBWPに適用可能なビーム障害基準を提供することによって、基準は例えば、それぞれのBWP上で提供されるサービス(例えば、ビーム障害検出および新しいビームの識別のための異なる閾値)に従って、各BWPに対して適切に設定される。
【０１２５】
したがって、無線通信ネットワークにおいて使用するための通信デバイスであって、上記無線通信ネットワークは、１つのシステム帯域幅内に無線アクセスインターフェースを提供するインフラストラクチャ機器を備え、上記システム帯域幅は、複数の帯域幅部分を備え、
上記通信デバイスは、複数の活性化された帯域幅部分を使用して信号を送信するように構成された送信機と、上記複数の活性化された帯域幅部分を使用して、複数の活性化されたビームを使用して送信された信号を受信するように構成された受信機と、
上記通信デバイスが、第１の帯域幅部分に関連する１つの活性化されたビームがビーム障害基準を満たすことを判定するように、上記複数の活性化された帯域幅部分から第２の帯域幅部分を選択するように、かつ、上記第１の帯域幅部分に関連する１つの活性化されたビームがビーム障害基準を満たすことを示すビーム障害表示を、選択された上記第２の帯域幅部分に関連する通信リソースを使用して送信するように動作可能であるように、上記送信機および上記受信機を制御するように構成されたコントローラと、
を具備する、通信デバイスが説明された。
【０１２６】
本開示はいくつかの点で、特定の例を提供するために、LTEベースおよび/または5Gネットワークにおける実装に焦点を当てているが、同じ原理が、他の無線電気通信システムに適用され得ることが理解される。
したがって、本明細書で使用される用語は一般に、LTEおよび5G規格の用語と同一または類似しているが、本教示は、LTEおよび5Gの現在のバージョンに限定されず、LTEまたは5Gに基づいておらず、かつ/またはLTE、5G、または他の規格の任意の他の将来のバージョンに準拠していない任意の適切な装置に同様に適用することができる。
【０１２７】
本明細書で説明される各種の例示的なアプローチは、基地局および通信デバイスの両方によって知られているという意味で、事前に決定された/事前定義された情報に依拠し得ることに留意されたい。
このような事前に決定された/事前定義された情報は一般に、例えば、無線電気通信システムのための動作規格における定義によって、または例えば、システム情報信号における基地局と通信装置との間で事前に交換された信号によって、または無線リソース制御セットアップ信号に関連して、あるいは、SIMアプリケーションに記憶された情報において、確立され得る。
すなわち、関連する所定の情報が確立され、無線電気通信システムの様々な要素間で共有される特定の方法は、本明細書で説明される動作の原理にとって最も重要ではない。本明細書で説明される各種の例示的なアプローチは、無線通信システムの各種要素間で交換/通信される情報に依存することがさらに留意され、そのような通信は一般に、コンテキストが別段の要求をしない限り、例えば、特定の信号プロトコルおよび使用される通信チャネルのタイプに関して、従来の技法に従って行われ得ることが理解される。
すなわち、関連情報が無線電気通信システムの様々な要素間で交換される特定の方法は、本明細書で説明される動作の原理にとって最も重要ではない。
【０１２８】
本明細書で説明される原理は、特定の種類の通信デバイスにのみ適用可能ではなく、任意の種類の通信デバイスにより一般的に適用することができ、例えば、本発明のアプローチは、通信デバイス/ IoTデバイスの機械の種類、または、他の狭帯域通信デバイスに限定されず、例えば、通信ネットワークへの無線リンクで動作する任意の種類の通信デバイスにより一般的に適用することが理解される。
【０１２９】
本明細書に記載される原理は、LTEベースの無線電気通信システムにのみ適用可能ではなく、通信デバイスと基地局との間のランダムアクセス手順メッセージの交換を含むランダムアクセス手順をサポートする任意の種類の無線電気通信システムに適用可能であることがさらに理解される。
【０１３０】
本発明のさらなる特定の好ましい態様は、添付の独立請求項および従属請求項に記載されている。従属請求項の特徴は、それらの請求項に明示的に記載されたもの以外の組み合わせで独立請求項の特徴と組み合わされてもよいことが理解される。
【０１３１】
したがって、前述の議論は、単に本発明の例示的な実施形態を開示し、説明しているに過ぎない。当業者には理解されるように、本発明は、その精神または本質的な特徴から逸脱することなく、他の特定の形態で実施することができる。
したがって、本発明の開示は、例示であることが意図されているが、本発明の範囲、および他の特許請求の範囲を限定することは意図されていない。本開示は、本明細書の教示の、任意の容易に識別可能な変形を含み、発明の主題が公衆に専用とされないように、前述の請求項の用語の範囲を部分的に定義する。
【０１３２】
本開示のそれぞれの特徴は、以下の番号付けされた段落によって定義される。
（１）無線通信ネットワークにおいて使用するための通信デバイスであって、
前記無線通信ネットワークは、１つのシステム帯域幅内に無線アクセスインターフェースを提供するインフラストラクチャ機器を備え、
前記システム帯域幅は、複数の帯域幅部分を備え、
前記通信デバイスは、
複数の活性化された帯域幅部分を使用して信号を送信するように構成された送信機と、
前記複数の活性化された帯域幅部分を使用して、複数の活性化されたビームを使用して送信された信号を受信するように構成された受信機と、
前記通信デバイスが、
第１の帯域幅部分に関連する１つの活性化されたビームがビーム障害基準を満たすことを判定するように、
前記複数の活性化された帯域幅部分から第２の帯域幅部分を選択するように、かつ、
前記第１の帯域幅部分に関連する１つの活性化されたビームが前記ビーム障害基準を満たすことを示すビーム障害表示を、選択された前記第２の帯域幅部分に関連する通信リソースを使用して送信するように
動作可能であるように、前記送信機および前記受信機を制御するように構成されたコントローラと
を具備する
通信デバイス。
（２）（１）に記載の通信デバイスであって、
前記ビーム障害基準は、受信信号の測定される特性に適用可能な閾値を含み、
前記通信デバイスは、前記第１の帯域幅部分に関連する通信リソース上で受信された信号の特性を測定するように動作可能である
通信デバイス。
（３）（１）または（２）に記載の通信デバイスであって、
前記複数の活性化された帯域幅部分の１つが、少なくとも１つの他の帯域幅部分が活性化されている間に活性化される主要帯域幅部分として指定され、
前記第１の帯域幅部分は、前記主要帯域幅部分として指定された帯域幅部分である
通信デバイス。
（４）（１）または（２）に記載の通信デバイスであって、
前記複数の活性化された帯域幅部分のそれぞれは、最高の活性化優先度を有するデフォルト帯域幅部分、または、デフォルト帯域幅部分の活性化優先度よりも低い活性化優先度を有する非デフォルト帯域幅部分のいずれかであり、
前記第１の帯域幅部分は、前記デフォルト帯域幅部分である
通信デバイス。
（５）（１）または（２）に記載の通信デバイスであって、
前記第１の帯域幅部分は、所定の優先順位付けスキームに従って、前記複数の活性化された帯域幅部分から選択される
通信デバイス。
（６）（１）から（５）のいずれか１つに記載の通信デバイスであって、
前記コントローラは、
前記通信デバイスが
選択された前記第２の帯域幅部分に関連する通信リソースを使用して前記ビーム障害表示が送信されることを示す指示を受信するように
動作可能であるように前記受信機を制御するように構成される
通信デバイス。
（７）（１）から（６）のいずれか１つに記載の通信デバイスであって、
前記第１の帯域幅部分が、前記複数の活性化されたビームのサブセットに関連付けられ、
前記コントローラは、前記第１の帯域幅部分に関連付けられた前記活性化されたビームのサブセットのそれぞれが前記ビーム障害基準を満たすことを判定するように構成され、
前記ビーム障害表示は、前記第１の帯域幅部分に関連付けられたすべての活性化されたビームがビーム障害基準を満たしていることを示す
通信デバイス。
（８）（７）に記載の通信デバイスであって、
選択された前記第２の帯域幅部分は、所定の優先順位付けスキームに従って、前記複数の活性化された帯域幅部分から選択される
通信デバイス。
（９）（１）から（８）のいずれか１つに記載の通信デバイスであって、
前記ビーム障害表示は、前記第１の帯域幅部分のIDの表示を含む
通信デバイス。
（１０）（１）から（９）のいずれか１つに記載の通信デバイスであって、
前記複数の活性化された帯域幅部分の各々が、前記複数の活性化されたビームのサブセットに関連付けられ、
前記コントローラは、前記複数の活性化された帯域幅部分の各々に関連付けられた前記活性化されたビームのサブセットの各々におけるすべてのビームが、前記ビーム障害基準を満たすことを判定するように構成され、
前記ビーム障害表示は、前記複数の活性化された帯域幅部分に関連付けられたすべての活性化されたビームが、ビーム障害基準を満たしていることを示す
通信デバイス。
（１１）（１）から（１０）のいずれか１つに記載の通信デバイスであって、
前記複数の活性化された帯域幅部分の各々に関連するビーム障害基準は、同一である
通信デバイス。
（１２）（１）から（１０）のいずれか１つに記載の通信デバイスであって、
前記第１の帯域幅部分に関連付けられたビーム障害基準は、選択された前記第２の帯域幅部分に関連付けられたビーム障害基準と異なる
通信デバイス。
（１３）（１）から（１１）のいずれか１つに記載の通信デバイスであって、
前記第１の帯域幅部分および前記第２の帯域幅部分は、同一の帯域幅部分である
通信デバイス。
（１４）（１）から（１２）のいずれか１つに記載の通信デバイスであって、
前記第１の帯域幅部分および前記第２の帯域幅部分は、異なる帯域幅部分である
通信デバイス。
（１５）無線通信ネットワークにおいて使用するためのインフラストラクチャ機器であって、
前記インフラストラクチャ機器は、１つのシステム帯域幅内に無線アクセスインターフェースを提供し、
前記システム帯域幅は、複数の帯域幅部分を備え、
前記インフラストラクチャ機器は、
複数の活性化された帯域幅部分を使用して、かつ、複数の活性化されたビームを使用して、通信デバイスに信号を送信するように構成された送信機と、
前記複数の活性化された帯域幅部分を使用して、前記通信デバイスからの信号を受信するように構成された受信機と、
前記インフラストラクチャ機器が、
第１の活性化された帯域幅部分に関連する１つの活性化されたビームがビーム障害基準を満たすことを示すビーム障害表示を受信し、前記ビーム障害表示が第２の活性化された帯域幅部分に関連する通信リソースを使用して送信されるように、
動作可能であるように、前記送信機および前記受信機を制御するように構成されたコントローラと
を具備する
インフラストラクチャ機器。
（１６）（１５）に記載のインフラストラクチャ機器であって、
前記ビーム障害基準は、受信信号の測定される特性に適用可能な閾値を含む
インフラストラクチャ機器。
（１７）（１５）または（１６）に記載のインフラストラクチャ機器であって、
前記複数の活性化された帯域幅部分の１つが、少なくとも１つの他の帯域幅部分が活性化されている間に活性化される主要帯域幅部分として指定され、
前記第１の帯域幅部分は、前記主要帯域幅部分として指定された帯域幅部分である
インフラストラクチャ機器。
（１８）（１５）または（１６）に記載のインフラストラクチャ機器であって、
前記複数の活性化された帯域幅部分のそれぞれは、最高の活性化優先度を有するデフォルト帯域幅部分、または、デフォルト帯域幅部分の活性化優先度よりも低い活性化優先度を有する非デフォルト帯域幅部分のいずれかであり、
前記第１の帯域幅部分は、前記デフォルト帯域幅部分である
インフラストラクチャ機器。
（１９）（１５）または（１６）に記載のインフラストラクチャ機器であって、
前記第１の帯域幅部分は、所定の優先順位付けスキームに従って、前記複数の活性化された帯域幅部分から選択される
インフラストラクチャ機器。
（２０）（１５）から（１９）のいずれか１つに記載のインフラストラクチャ機器であって、
前記コントローラは、
前記インフラストラクチャ機器が
選択された前記第２の帯域幅部分に関連する通信リソースを使用して前記ビーム障害表示が送信されることを示す指示を送信するように
動作可能であるように前記送信機を制御するように構成される
インフラストラクチャ機器。
（２１）（１５）から（２０）のいずれか１つに記載のインフラストラクチャ機器であって、
前記第１の帯域幅部分が、前記複数の活性化されたビームのサブセットに関連付けられ、
前記ビーム障害表示は、前記第１の帯域幅部分に関連付けられたすべての活性化されたビームがビーム障害基準を満たしていることを示す
インフラストラクチャ機器。
（２２）（２１）に記載のインフラストラクチャ機器であって、
選択された前記第２の帯域幅部分は、所定の優先順位付けスキームに従って、前記複数の活性化された帯域幅部分から選択される
インフラストラクチャ機器。
（２３）（１５）から（２２）のいずれか１つに記載のインフラストラクチャ機器であって、
前記ビーム障害表示は、前記第１の帯域幅部分のIDの表示を含む
インフラストラクチャ機器。
（２４）（１５）から（２３）のいずれか１つに記載のインフラストラクチャ機器であって、
前記複数の活性化された帯域幅部分の各々が、前記複数の活性化されたビームのサブセットに関連付けられ、
前記ビーム障害表示は、前記複数の活性化された帯域幅部分に関連付けられたすべての活性化されたビームが、ビーム障害基準を満たしていることを示す
インフラストラクチャ機器。
（２５）（１５）から（２４）のいずれか１つに記載のインフラストラクチャ機器であって、
前記複数の活性化された帯域幅部分の各々に関連するビーム障害基準は、同一である
インフラストラクチャ機器。
（２６）（１５）から（２４）のいずれか１つに記載のインフラストラクチャ機器であって、
前記第１の帯域幅部分に関連付けられたビーム障害基準は、選択された前記第２の帯域幅部分に関連付けられたビーム障害基準と異なる
インフラストラクチャ機器。
（２７）（１５）から（２５）のいずれか１つに記載のインフラストラクチャ機器であって、
前記第１の帯域幅部分および前記第２の帯域幅部分は、同一の帯域幅部分である
インフラストラクチャ機器。
（２８）（１５）から（２６）のいずれか１つに記載のインフラストラクチャ機器であって、
前記第１の帯域幅部分および前記第２の帯域幅部分は、異なる帯域幅部分である
インフラストラクチャ機器。
（２９）無線通信ネットワークにおいて使用するためのインフラストラクチャ機器用の回路であって、
前記インフラストラクチャ機器は、１つのシステム帯域幅内に無線アクセスインターフェースを提供し、
前記システム帯域幅は、複数の帯域幅部分を備え、
前記回路は、
複数の活性化された帯域幅部分を使用して、かつ、複数の活性化されたビームを使用して、通信デバイスに信号を送信するように構成された送信機回路と、
前記複数の活性化された帯域幅部分を使用して、前記通信デバイスからの信号を受信するように構成された受信機回路と、
前記インフラストラクチャ機器が、
第１の活性化された帯域幅部分に関連する１つの活性化されたビームがビーム障害基準を満たすことを示すビーム障害表示を受信し、前記ビーム障害表示が第２の活性化された帯域幅部分に関連する通信リソースを使用して送信されるように、
動作可能であるように、前記送信機回路および前記受信機回路を制御するように構成されたコントローラ回路と
を具備する
インフラストラクチャ機器。
（３０）無線通信ネットワークにおいて使用するためのインフラストラクチャ機器用の方法であって、
前記インフラストラクチャ機器は、１つのシステム帯域幅内に無線アクセスインターフェースを提供し、
前記システム帯域幅は、複数の帯域幅部分を備え、
前記方法は、
複数の活性化された帯域幅部分を使用して、かつ、複数の活性化されたビームを使用して、通信デバイスに信号を送信するステップと、
前記複数の活性化された帯域幅部分を使用して、前記通信デバイスからの信号を受信するステップと、
第１の活性化された帯域幅部分に関連する１つの活性化されたビームがビーム障害基準を満たすことを示すビーム障害表示を受信するステップと、
を含み、
前記ビーム障害表示は、第２の活性化された帯域幅部分に関連する通信リソースを使用して送信される
方法。
（３１）無線通信ネットワークにおいて使用するための通信デバイス用の回路であって、
前記無線通信ネットワークは、１つのシステム帯域幅内に無線アクセスインターフェースを提供するインフラストラクチャ機器を備え、
前記システム帯域幅は、複数の帯域幅部分を備え、
前記回路は、
複数の活性化された帯域幅部分を使用して信号を送信するように構成された送信機回路と、
前記複数の活性化された帯域幅部分を使用して、複数の活性化されたビームを使用して送信された信号を受信するように構成された受信機回路と、
前記通信デバイスが、
第１の帯域幅部分に関連する１つの活性化されたビームがビーム障害基準を満たすことを判定するように、
前記複数の活性化された帯域幅部分から第２の帯域幅部分を選択するように、かつ、
前記第１の帯域幅部分に関連する１つの活性化されたビームが前記ビーム障害基準を満たすことを示すビーム障害表示を、選択された前記第２の帯域幅部分に関連する通信リソースを使用して送信するように
動作可能であるように、前記送信機および前記受信機を制御するように構成されたコントローラ回路と
を具備する
回路。
（３２）無線通信ネットワークにおいて使用するための通信デバイス用の方法であって、
前記無線通信ネットワークは、１つのシステム帯域幅内に無線アクセスインターフェースを提供するインフラストラクチャ機器を備え、
前記システム帯域幅は、複数の帯域幅部分を備え、
前記方法は、
複数の活性化された帯域幅部分を使用して信号を送信するステップと、
前記複数の活性化された帯域幅部分を使用して、複数の活性化されたビームを使用して送信された信号を受信するステップと、
第１の帯域幅部分に関連する１つの活性化されたビームがビーム障害基準を満たすことを判定するステップと、
前記複数の活性化された帯域幅部分から第２の帯域幅部分を選択するステップと、
前記第１の帯域幅部分に関連する１つの活性化されたビームが前記ビーム障害基準を満たすことを示すビーム障害表示を、選択された前記第２の帯域幅部分に関連する通信リソースを使用して送信するステップと
を含む
方法。
（３３）コンピュータによって実行されると、請求項３０または３２の方法を実行する、コンピュータ実行可能コードを提供するコンピュータプログラム。
【０１３３】
本発明のさらなる特定の好ましい態様は、添付の独立請求項および従属請求項に記載されている。従属請求項の特徴は、請求項に明示的に記載されたもの以外の組み合わせで独立請求項の特徴と組み合わされてもよいことが理解される。
【図１】
2022501979.tif 000004
【図２】
2022501979.tif 000005
【図３】
2022501979.tif 000006
【図４】
2022501979.tif 000007
【図５】
2022501979.tif 000008
【図６】
2022501979.tif 000009
【図７】
2022501979.tif 000010
【図８】
2022501979.tif 000011
【国際調査報告】
2022501979.tif 000012
2022501979.tif 000013
2022501979.tif 000014
2022501979.tif 000015
2022501979.tif 000016